(57)【要約】  空気調和システム（１）の室内機（２）は、第１空気吹出口（４）に位置し、第１空気吹出口（４）から吹き出される空気の上下方向における向きを決定するための角度が設定される第１上下風向手段（８）と、第１空気吹出口（４）に位置し、第１空気吹出口（４）から吹き出される空気の左右方向における向きを決定するための向きが設定される第１左右風向手段（１２）と、第１空気吹出口（４）の外部において第１空気吹出口（４）の長手方向に沿うと共に、第１上下風向手段（８）に設定される角度によらず第１上下風向手段（８）に隠れない場所に間を置いて位置し、第１左右風向手段（１２）に設定された向きを示す情報を表示する第１の複数の表示手段（１６）とを有する。
2020194468.tif 000002
【特許請求の範囲】
【請求項１】
空気が吹き出る空気吹出口が設けられていて空気調和を行う空気調和システムの室内機であって、
前記空気吹出口に位置し、前記空気吹出口から吹き出される空気の上下方向における向きを決定するための角度が設定される上下風向手段と、
前記空気吹出口に位置し、前記空気吹出口から吹き出される空気の左右方向における向きを決定するための向きが設定される左右風向手段と、
前記空気吹出口の外部において前記空気吹出口の長手方向に沿うと共に、前記上下風向手段に設定される角度によらず前記上下風向手段に隠れない場所に間を置いて位置し、前記左右風向手段に設定された向きを示す情報を表示する複数の表示手段と
を備える空気調和システムの室内機。
【請求項２】
前記複数の表示手段は、前記左右風向手段に設定された向きが変更された場合に前記情報の表示を開始する
請求項１に記載の空気調和システムの室内機。
【請求項３】
前記複数の表示手段は、前記情報の表示を開始した時からあらかじめ決められた時間が経過した時に前記情報の表示を終了する
請求項１に記載の空気調和システムの室内機。
【請求項４】
請求項１に記載の空気調和システムの室内機と、
ユーザによって操作される遠隔操作機器とを備え、
前記遠隔操作機器は、
前記空気調和システムの室内機と通信を行う操作機器側通信手段と、
前記複数の表示手段に前記情報を表示させる指示を受け付ける機能を含む受付手段とを有し、
前記空気調和システムの室内機は、
前記遠隔操作機器と通信を行う室内機側通信手段を更に有し、
前記受付手段が前記指示を受け付けた場合、前記操作機器側通信手段は前記指示を前記空気調和システムの室内機に送信し、前記室内機側通信手段は前記指示を受信し、前記複数の表示手段は前記情報の表示を開始する
空気調和システム。
【請求項５】
請求項１に記載の空気調和システムの室内機と、
ユーザによって操作される遠隔操作機器とを備え、
前記遠隔操作機器は、
前記空気調和システムの室内機と通信を行う操作機器側通信手段と、
前記左右風向手段に設定された向きを変更させる第１の指示を受け付ける機能と、前記複数の表示手段に前記情報を表示させるか否かを示す第２の指示を受け付ける機能とを含む受付手段とを有し、
前記空気調和システムの室内機は、
前記遠隔操作機器と通信を行う室内機側通信手段を更に有し、
前記受付手段が前記第１の指示を受け付けた場合、前記操作機器側通信手段は前記第１の指示を前記空気調和システムの室内機に送信し、前記室内機側通信手段は前記第１の指示を受信し、前記左右風向手段は前記第１の指示をもとに設定された向きを変更し、
前記受付手段が前記第２の指示を受け付けた場合、前記操作機器側通信手段は前記第２の指示を前記空気調和システムの室内機に送信し、前記室内機側通信手段は前記第２の指示を受信し、前記複数の表示手段は、前記左右風向手段に設定された向きが変更されたとき、前記第２の指示にしたがって前記情報を表示する又は表示しない
空気調和システム。
【発明の詳細な説明】
【技術分野】
【０００１】
本発明は、空気調和システムの室内機及び空気調和システムに関する。
【背景技術】
【０００２】
従来、空気調和を行う室内機と、室内の空気を循環させる風力源とを有する空気調和システムが提案されている（例えば、特許文献１参照）。当該室内機は、上下方向における風の向きを決定するための角度が設定される上下風向手段と、左右方向における風の向きを決定するための向きが設定される左右風向手段と、左右風向手段に設定された向きを表示する表示手段とを含む。
【先行技術文献】
【特許文献】
【０００３】
【特許文献１】特開２００３−９０５８３号公報
【発明の概要】
【発明が解決しようとする課題】
【０００４】
従来の空気調和システムでは、室内機に含まれている表示手段は風が吹き出る空気吹出口の長手方向の中央部に対向する場所に位置しているので、室内機から比較的遠くに居るユーザは、表示手段を視認することができない場合がある。【０００５】
本発明は、上記に鑑みてなされたものであって、左右風向手段に設定された向きを示す情報を室内機から比較的遠くに居るユーザに視認させる空気調和システムの室内機を得ることを目的とする。
【課題を解決するための手段】
【０００６】
上述した課題を解決し、目的を達成するために、本発明に係る空気調和システムの室内機は、空気が吹き出る空気吹出口が設けられていて空気調和を行う室内機である。本発明に係る空気調和システムの室内機は、空気吹出口に位置し、空気吹出口から吹き出される空気の上下方向における向きを決定するための角度が設定される上下風向手段と、空気吹出口に位置し、空気吹出口から吹き出される空気の左右方向における向きを決定するための向きが設定される左右風向手段と、空気吹出口の外部において空気吹出口の長手方向に沿うと共に、上下風向手段に設定される角度によらず上下風向手段に隠れない場所に間を置いて位置し、左右風向手段に設定された向きを示す情報を表示する複数の表示手段とを有する。
【発明の効果】
【０００７】
本発明に係る空気調和システムの室内機は、左右風向手段に設定された向きを示す情報を室内機から比較的遠くに居るユーザに視認させることができる。
【図面の簡単な説明】
【０００８】
【図１】実施の形態に係る空気調和システムの構成を示す第１図
【図２】実施の形態に係る空気調和システムの構成を示す第２図
【図３】実施の形態に係る室内機の動作の手順の例を示す第１のフローチャート
【図４】実施の形態に係る室内機の動作の手順の例を示す第２のフローチャート
【図５】実施の形態に係る室内機が有する人体検知手段、室内機側通信手段及び制御手段の少なくとも一部の機能がプロセッサによって実現される場合のプロセッサを示す図
【図６】実施の形態に係る室内機が有する人体検知手段、室内機側通信手段及び制御手段の少なくとも一部が処理回路によって実現される場合の処理回路を示す図
【発明を実施するための形態】
【０００９】
以下に、本発明の実施の形態に係る空気調和システムの室内機及び空気調和システムを図面に基づいて詳細に説明する。なお、この実施の形態によりこの発明が限定されるものではない。
【００１０】
実施の形態．
図１は、実施の形態に係る空気調和システム１の構成を示す第１図である。空気調和システム１は、空気調和を行う室内機２と、ユーザによって操作される遠隔操作機器３とを有する。本願では、「空気調和システムの室内機」を「室内機」と記載する場合がある。室内機２は、天井に埋め込まれる装置であって、例えば冷房と暖房とのうちの少なくとも一方を行う機能を有する。図１は、天井に埋め込まれていて人が鉛直方向の下方側から上方側の向きＤに室内機２を見た場合の室内機２を模式的に示している。
【００１１】
室内機２には、４個の空気吹出口が設けられている。室内機２の内部の空気は、４個の空気吹出口の各々から室内機２の外部に吹き出る。４個の空気吹出口は、第１空気吹出口４、第２空気吹出口５、第３空気吹出口６及び第４空気吹出口７である。第１空気吹出口４、第２空気吹出口５、第３空気吹出口６及び第４空気吹出口７の各々の形状は、例えば長方形である。このように、第１空気吹出口４、第２空気吹出口５、第３空気吹出口６及び第４空気吹出口７の各々には、長手方向がある。図１に示す通り、室内機２は、第１空気吹出口４、第２空気吹出口５、第３空気吹出口６及び第４空気吹出口７から４個の向きに空気を吹き出す。
【００１２】
室内機２は、第１空気吹出口４に位置し、第１空気吹出口４から吹き出される空気の上下方向における向きを決定するための角度が設定される第１上下風向手段８を有する。室内機２は、第２空気吹出口５に位置し、第２空気吹出口５から吹き出される空気の上下方向における向きを決定するための角度が設定される第２上下風向手段９を更に有する。室内機２は、第３空気吹出口６に位置し、第３空気吹出口６から吹き出される空気の上下方向における向きを決定するための角度が設定される第３上下風向手段１０を更に有する。室内機２は、第４空気吹出口７に位置し、第４空気吹出口７から吹き出される空気の上下方向における向きを決定するための角度が設定される第４上下風向手段１１を更に有する。例えば、第１上下風向手段８、第２上下風向手段９、第３上下風向手段１０及び第４上下風向手段１１の各々は、ベーン又は板である。当該板は、湾曲している部位を有していてもよい。
【００１３】
室内機２は、第１空気吹出口４に位置し、第１空気吹出口４から吹き出される空気の左右方向における向きを決定するための向きが設定される第１左右風向手段１２を更に有する。実施の形態では、第１左右風向手段１２は、第１１左右風向手段１２ａ、第１２左右風向手段１２ｂ、第１３左右風向手段１２ｃ及び第１４左右風向手段１２ｄによって構成されている。第１１左右風向手段１２ａ、第１２左右風向手段１２ｂ、第１３左右風向手段１２ｃ及び第１４左右風向手段１２ｄの各々は、プレート状の構成要素又はプレートであって、第１空気吹出口４の長手方向に配置されている。
【００１４】
室内機２は、第２空気吹出口５に位置し、第２空気吹出口５から吹き出される空気の左右方向における向きを決定するための向きが設定される第２左右風向手段１３を更に有する。実施の形態では、第２左右風向手段１３は、第２１左右風向手段１３ａ、第２２左右風向手段１３ｂ、第２３左右風向手段１３ｃ及び第２４左右風向手段１３ｄによって構成されている。第２１左右風向手段１３ａ、第２２左右風向手段１３ｂ、第２３左右風向手段１３ｃ及び第２４左右風向手段１３ｄの各々は、プレート状の構成要素又はプレートであって、第２空気吹出口５の長手方向に配置されている。
【００１５】
室内機２は、第３空気吹出口６に位置し、第３空気吹出口６から吹き出される空気の左右方向における向きを決定するための向きが設定される第３左右風向手段１４を更に有する。実施の形態では、第３左右風向手段１４は、第３１左右風向手段１４ａ、第３２左右風向手段１４ｂ、第３３左右風向手段１４ｃ及び第３４左右風向手段１４ｄによって構成されている。第３１左右風向手段１４ａ、第３２左右風向手段１４ｂ、第３３左右風向手段１４ｃ及び第３４左右風向手段１４ｄの各々は、プレート状の構成要素又はプレートであって、第３空気吹出口６の長手方向に配置されている。
【００１６】
室内機２は、第４空気吹出口７に位置し、第４空気吹出口７から吹き出される空気の左右方向における向きを決定するための向きが設定される第４左右風向手段１５を更に有する。実施の形態では、第４左右風向手段１５は、第４１左右風向手段１５ａ、第４２左右風向手段１５ｂ、第４３左右風向手段１５ｃ及び第４４左右風向手段１５ｄによって構成されている。第４１左右風向手段１５ａ、第４２左右風向手段１５ｂ、第４３左右風向手段１５ｃ及び第４４左右風向手段１５ｄの各々は、プレート状の構成要素又はプレートであって、第４空気吹出口７の長手方向に配置されている。
【００１７】
室内機２は、第１空気吹出口４の外部において第１空気吹出口４の長手方向に沿うと共に、第１上下風向手段８に設定される角度によらず第１上下風向手段８に隠れない場所に間を置いて位置し、第１左右風向手段１２に設定された向きを示す情報を表示する第１の複数の表示手段１６を更に有する。更に言うと、室内機２が天井に適切に据え付けられて人が鉛直下方側から鉛直上方側の向きに室内機２を見た場合において、第１の複数の表示手段１６は、第１上下風向手段８に設定される角度によらず第１上下風向手段８に隠れない場所に位置している。室内機２が天井に適切に据え付けられる場合は、室内機２に設けられている第１空気吹出口４、第２空気吹出口５、第３空気吹出口６及び第４空気吹出口７から吹出された直後の風が鉛直下方側に向かう場合である。
【００１８】
例えば、第１の複数の表示手段１６は、第１左右風向手段１２に設定された向きが変更された場合に第１左右風向手段１２に設定された向きを示す情報の表示を開始する。例えば、第１の複数の表示手段１６は、上記の情報の表示を開始した時からあらかじめ決められた時間が経過した時に上記の情報の表示を終了する。第１の複数の表示手段１６は、第１１の表示手段１６ａと、第１２の表示手段１６ｂと、第１３の表示手段１６ｃとによって構成されている。例えば、第１１の表示手段１６ａ、第１２の表示手段１６ｂ及び第１３の表示手段１６ｃの各々は、発光ダイオードを含む表示装置又は発光ダイオードである。
【００１９】
第１１の表示手段１６ａ、第１２の表示手段１６ｂ及び第１３の表示手段１６ｃは、第１空気吹出口４の外部において第１空気吹出口４の長手方向に沿って位置している。第１２の表示手段１６ｂは、第１空気吹出口４の長手方向の中央部と対向する場所に位置している。第１１の表示手段１６ａは、第１空気吹出口４の長手方向の一方の端部寄りの部位と対向する場所に位置している。第１３の表示手段１６ｃは、第１空気吹出口４の長手方向の他方の端部寄りの部位と対向する場所に位置している。
【００２０】
第１左右風向手段１２に設定された向きが第１空気吹出口４の長手方向と直交する向きである場合、例えば、第１２の表示手段１６ｂが発光し、第１１の表示手段１６ａ及び第１３の表示手段１６ｃは発光しない。第１左右風向手段１２に設定された向きが第１空気吹出口４の長手方向の中央部から一方の端部側の室内機２の外部に向かう向きである場合、例えば、第１１の表示手段１６ａが発光し、第１２の表示手段１６ｂ及び第１３の表示手段１６ｃは発光しない。第１左右風向手段１２に設定された向きが第１空気吹出口４の長手方向の中央部から他方の端部側の室内機２の外部に向かう向きである場合、例えば、第１３の表示手段１６ｃが発光し、第１１の表示手段１６ａ及び第１２の表示手段１６ｂは発光しない。
【００２１】
室内機２は、第２空気吹出口５の外部において第２空気吹出口５の長手方向に沿うと共に、第２上下風向手段９に設定される角度によらず第２上下風向手段９に隠れない場所に間を置いて位置し、第２左右風向手段１３に設定された向きを示す情報を表示する第２の複数の表示手段１７を更に有する。更に言うと、第２の複数の表示手段１７は、室内機２が天井に適切に据え付けられた場合に第２上下風向手段９に設定される角度によらず第２上下風向手段９に隠れない場所に位置している。
【００２２】
例えば、第２の複数の表示手段１７は、第２左右風向手段１３に設定された向きが変更された場合に第２左右風向手段１３に設定された向きを示す情報の表示を開始する。例えば、第２の複数の表示手段１７は、上記の情報の表示を開始した時からあらかじめ決められた時間が経過した時に上記の情報の表示を終了する。第２の複数の表示手段１７は、第１の複数の表示手段１６と同様に、第２１の表示手段１７ａと、第２２の表示手段１７ｂと、第２３の表示手段１７ｃとによって構成されている。例えば、第２１の表示手段１７ａ、第２２の表示手段１７ｂ及び第２３の表示手段１７ｃの各々は、発光ダイオードを含む表示装置又は発光ダイオードである。
【００２３】
室内機２は、第３空気吹出口６の外部において第３空気吹出口６の長手方向に沿うと共に、第３上下風向手段１０に設定される角度によらず第３上下風向手段１０に隠れない場所に間を置いて位置し、第３左右風向手段１４に設定された向きを示す情報を表示する第３の複数の表示手段１８を更に有する。更に言うと、第３の複数の表示手段１８は、室内機２が天井に適切に据え付けられた場合に第３上下風向手段１０に設定される角度によらず第３上下風向手段１０に隠れない場所に位置している。
【００２４】
例えば、第３の複数の表示手段１８は、第３左右風向手段１４に設定された向きが変更された場合に第３左右風向手段１４に設定された向きを示す情報の表示を開始する。例えば、第３の複数の表示手段１８は、上記の情報の表示を開始した時からあらかじめ決められた時間が経過した時に上記の情報の表示を終了する。第３の複数の表示手段１８は、第１の複数の表示手段１６と同様に、第３１の表示手段１８ａと、第３２の表示手段１８ｂと、第３３の表示手段１８ｃとによって構成されている。例えば、第３１の表示手段１８ａ、第３２の表示手段１８ｂ及び第３３の表示手段１８ｃの各々は、発光ダイオードを含む表示装置又は発光ダイオードである。
【００２５】
室内機２は、第４空気吹出口７の外部において第４空気吹出口７の長手方向に沿うと共に、第４上下風向手段１１に設定される角度によらず第４上下風向手段１１に隠れない場所に間を置いて位置し、第４左右風向手段１５に設定された向きを示す情報を表示する第４の複数の表示手段１９を更に有する。更に言うと、第４の複数の表示手段１９は、室内機２が天井に適切に据え付けられた場合に第４上下風向手段１１に設定される角度によらず第４上下風向手段１１に隠れない場所に位置している。
【００２６】
例えば、第４の複数の表示手段１９は、第４左右風向手段１５に設定された向きが変更された場合に第４左右風向手段１５に設定された向きを示す情報の表示を開始する。例えば、第４の複数の表示手段１９は、上記の情報の表示を開始した時からあらかじめ決められた時間が経過した時に上記の情報の表示を終了する。第４の複数の表示手段１９は、第１の複数の表示手段１６と同様に、第４１の表示手段１９ａと、第４２の表示手段１９ｂと、第４３の表示手段１９ｃとによって構成されている。例えば、第４１の表示手段１９ａ、第４２の表示手段１９ｂ及び第４３の表示手段１９ｃの各々は、発光ダイオードを含む表示装置又は発光ダイオードである。
【００２７】
室内機２は、空気調和が行われる空間に人が存在する場合に当該人を検知する人体検知手段２０を更に有する。
【００２８】
図２は、実施の形態に係る空気調和システム１の構成を示す第２図である。遠隔操作機器３は、室内機２と通信を行う操作機器側通信手段３１と、第１左右風向手段１２、第２左右風向手段１３、第３左右風向手段１４及び第４左右風向手段１５の一部又は全部に設定された向きを変更させる第１の指示を受け付ける機能を含む受付手段３２とを有する。
【００２９】
受付手段３２は、第１左右風向手段１２に設定された向きを示す情報を第１の複数の表示手段１６に表示させるか否かを示す指示と、第２左右風向手段１３に設定された向きを示す情報を第２の複数の表示手段１７に表示させるか否かを示す指示と、第３左右風向手段１４に設定された向きを示す情報を第３の複数の表示手段１８に表示させるか否かを示す指示と、第４左右風向手段１５に設定された向きを示す情報を第４の複数の表示手段１９に表示させるか否かを示す指示とのうちの一部又は全部を含む第２の指示を受け付ける機能を更に含む。
【００３０】
受付手段３２は、第１左右風向手段１２に設定された向きを示す情報を第１の複数の表示手段１６に表示させる指示と、第２左右風向手段１３に設定された向きを示す情報を第２の複数の表示手段１７に表示させる指示と、第３左右風向手段１４に設定された向きを示す情報を第３の複数の表示手段１８に表示させる指示と、第４左右風向手段１５に設定された向きを示す情報を第４の複数の表示手段１９に表示させる指示とのうちの一部又は全部を含む第３の指示を受け付ける機能を更に含む。
【００３１】
室内機２は、遠隔操作機器３と通信を行う室内機側通信手段２１を更に有する。室内機２は、遠隔操作機器３から送信された指示と、人体検知手段２０によって得られた検知結果との一方又は双方をもとに、第１上下風向手段８、第２上下風向手段９、第３上下風向手段１０、第４上下風向手段１１、第１左右風向手段１２、第２左右風向手段１３、第３左右風向手段１４、第４左右風向手段１５、第１の複数の表示手段１６、第２の複数の表示手段１７、第３の複数の表示手段１８及び第４の複数の表示手段１９を制御する制御手段２２を更に有する。
【００３２】
受付手段３２が第３の指示を受け付けた場合、操作機器側通信手段３１は第３の指示を室内機２に送信し、室内機側通信手段２１は第３の指示を受信する。第３の指示が第１左右風向手段１２に設定された向きを示す情報を第１の複数の表示手段１６に表示させる指示を含む場合、第１の複数の表示手段１６は当該情報の表示を開始する。第３の指示が第２左右風向手段１３に設定された向きを示す情報を第２の複数の表示手段１７に表示させる指示を含む場合、第２の複数の表示手段１７は当該情報の表示を開始する。
【００３３】
第３の指示が第３左右風向手段１４に設定された向きを示す情報を第３の複数の表示手段１８に表示させる指示を含む場合、第３の複数の表示手段１８は当該情報の表示を開始する。第３の指示が第４左右風向手段１５に設定された向きを示す情報を第４の複数の表示手段１９に表示させる指示を含む場合、第４の複数の表示手段１９は当該情報の表示を開始する。
【００３４】
受付手段３２が第１の指示を受け付けた場合、操作機器側通信手段３１は第１の指示を室内機２に送信し、室内機側通信手段２１は第１の指示を受信する。第１の指示が第１左右風向手段１２に設定された向きを変更させる指示を含む場合、第１左右風向手段１２は第１の指示をもとに設定された向きを変更する。第１の指示が第２左右風向手段１３に設定された向きを変更させる指示を含む場合、第２左右風向手段１３は第１の指示をもとに設定された向きを変更する。
【００３５】
第１の指示が第３左右風向手段１４に設定された向きを変更させる指示を含む場合、第３左右風向手段１４は第１の指示をもとに設定された向きを変更する。第１の指示が第４左右風向手段１５に設定された向きを変更させる指示を含む場合、第４左右風向手段１５は第１の指示をもとに設定された向きを変更する。
【００３６】
受付手段３２が第２の指示を受け付けた場合、操作機器側通信手段３１は第２の指示を室内機２に送信し、室内機側通信手段２１は第２の指示を受信する。第１の複数の表示手段１６は、第１左右風向手段１２に設定された向きが変更された場合、第２の指示にしたがって、第１左右風向手段１２に設定された向きを示す情報を表示する又は表示しない。第２の複数の表示手段１７は、第２左右風向手段１３に設定された向きが変更された場合、第２の指示にしたがって、第２左右風向手段１３に設定された向きを示す情報を表示する又は表示しない。
【００３７】
第３の複数の表示手段１８は、第３左右風向手段１４に設定された向きが変更された場合、第２の指示にしたがって、第３左右風向手段１４に設定された向きを示す情報を表示する又は表示しない。第４の複数の表示手段１９は、第４左右風向手段１５に設定された向きが変更された場合、第２の指示にしたがって、第４左右風向手段１５に設定された向きを示す情報を表示する又は表示しない。
【００３８】
図３は、実施の形態に係る室内機２の動作の手順の例を示す第１のフローチャートである。上述の説明から理解することができる通り、第２空気吹出口５に関連する事項、第３空気吹出口６に関連する事項及び第４空気吹出口７に関連する事項の各々は、第１空気吹出口４に関連する事項と同様の事項である。そのため、以下では、第１空気吹出口４、第２空気吹出口５、第３空気吹出口６及び第４空気吹出口７の各々に関連する事項について、第１空気吹出口４に関連する事項を例にとって説明する。
【００３９】
制御手段２２は、遠隔操作機器３から送信されたコマンドを解析し、第１左右風向手段１２に設定された向きを特定する（Ｓ１）。制御手段２２は、人体検知手段２０によって得られた検知結果を取得する（Ｓ２）。制御手段２２は、ステップＳ１において特定した向きと、ステップＳ２において取得した検知結果とをもとに、第１上下風向手段８の角度と第１左右風向手段１２の向きとを決定する（Ｓ３）。図３のステップＳ３では、制御手段２２が第１上下風向手段８の角度と第１左右風向手段１２の向きとを決定することは、「風向位置の決定」と記載されている。
【００４０】
制御手段２２は、ステップＳ３において得た決定にしたがって、第１上下風向手段８の角度と、第１左右風向手段１２の向きとを制御する（Ｓ４）。つまり、ステップＳ４において、制御手段２２が行う制御によって、第１上下風向手段８の角度が設定され、第１左右風向手段１２の向きが設定される。制御手段２２は、第１左右風向手段１２に設定された向きを示す情報を第１の複数の表示手段１６に表示させることが指示されているか否かを判断する（Ｓ５）。図３のステップＳ５では、制御手段２２が第１左右風向手段１２に設定された向きを示す情報を第１の複数の表示手段１６に表示させることが指示されているか否かを判断することは、「表示が有効か？」と記載されている。
【００４１】
例えば、制御手段２２が制御基板の上に設けられており、かつ、当該情報を第１の複数の表示手段１６に表示させるか否かを指示するスイッチが当該制御基板に設けられている場合、制御手段２２はスイッチの指示をもとにステップＳ５の判断を行う。例えば、遠隔操作機器３から送信されたコマンドが当該情報を第１の複数の表示手段１６に表示させるか否かを指示する指令を含む場合、制御手段２２は当該指令をもとにステップＳ５の判断を行う。
【００４２】
制御手段２２は、第１左右風向手段１２に設定された向きを示す情報を第１の複数の表示手段１６に表示させることが指示されていると判断した場合（Ｓ５でＹｅｓ）、第１の複数の表示手段１６が当該情報の表示を継続しているか否かを判断する（Ｓ６）。ステップＳ６の詳細については、図４を用いて後述する。
【００４３】
第１の複数の表示手段１６が当該情報の表示を継続していると制御手段２２によって判断された場合（Ｓ６でＹｅｓ）、第１の複数の表示手段１６は、第１左右風向手段１２に設定された向きを示す情報の表示を継続する（Ｓ７）。第１の複数の表示手段１６がステップＳ７において表示する情報は、ステップＳ４において設定された第１左右風向手段１２の向きを示す情報である。第１の複数の表示手段１６が第１左右風向手段１２に設定された向きを示す情報を表示している状態において、制御手段２２は、表示タイマのカウントアップを行う（Ｓ８）。例えば、制御手段２２が制御基板の上に設けられている場合、表示タイマは制御基板の上に設けられている。
【００４４】
第１左右風向手段１２に設定された向きを示す情報を第１の複数の表示手段１６に表示させることが指示されていないと制御手段２２によって判断された場合（Ｓ５でＮｏ）、第１の複数の表示手段１６が情報を表示することについての室内機２の動作は終了する。第１の複数の表示手段１６が第１左右風向手段１２に設定された向きを示す情報の表示を継続していないと制御手段２２によって判断された場合（Ｓ６でＮｏ）、第１の複数の表示手段１６が情報を表示することについての室内機２の動作は終了する。
【００４５】
図４は、実施の形態に係る室内機２の動作の手順の例を示す第２のフローチャートである。更に言うと、図４は、図３の第１のフローチャートにおけるステップＳ６の動作の手順の例を示すフローチャートである。制御手段２２は、第１左右風向手段１２に設定された向きの変化を判断するためのデータを取得する（Ｓ１１）。例えば、制御手段２２は、遠隔操作機器３から送信されたコマンド又は人体検知手段２０によって得られた検知結果をもとに、第１左右風向手段１２に設定された向きの変化を判断するためのデータを取得する。
【００４６】
制御手段２２は、ステップＳ１１において取得したデータをもとに、第１左右風向手段１２に設定された向きが変化したか否かを判断する（Ｓ１２）。制御手段２２は、第１左右風向手段１２に設定された向きが変化したと判断した場合（Ｓ１２でＹｅｓ）、第１の複数の表示手段１６が表示する情報が変更されるので、表示タイマをリセットする（Ｓ１３）。
【００４７】
制御手段２２は、第１の複数の表示手段１６が情報の表示を継続しているか否かについての判断を「継続中」と設定する（Ｓ１４）。制御手段２２は、第１左右風向手段１２に設定された向きが変化していないと判断した場合（Ｓ１２でＮｏ）、表示タイマの値を取得する（Ｓ１５）。制御手段２２は、取得した表示タイマの値があらかじめ決められたしきい値以上であるか否かを判断する（Ｓ１６）。
【００４８】
制御手段２２は、取得した表示タイマの値がしきい値未満であると判断した場合（Ｓ１６でＮｏ）、ステップＳ１４の動作を行う。制御手段２２は、取得した表示タイマの値がしきい値以上であると判断した場合（Ｓ１６でＹｅｓ）、第１の複数の表示手段１６が情報の表示を継続しているか否かについての判断を「終了」と設定する（Ｓ１７）。
【００４９】
上述の通り、第１空気吹出口４に関連し、実施の形態に係る室内機２は、第１空気吹出口４の外部において第１空気吹出口４の長手方向に沿うと共に、第１上下風向手段８に設定される角度によらず第１上下風向手段８に隠れない場所に間を置いて位置し、第１左右風向手段１２に設定された向きを示す情報を表示する第１の複数の表示手段１６を有する。
【００５０】
上述の通り、室内機２は第１空気吹出口４の長手方向に沿う第１の複数の表示手段１６を有する。第１の複数の表示手段１６は、第１空気吹出口４の長手方向において、表示手段が中央部のみに位置している場合より広い範囲に位置する。そのため、ユーザが室内機２から比較的遠くに居ても、ユーザが第１の複数の表示手段１６を視認する可能性は従来より高くなる。つまり、ユーザが第１左右風向手段１２に設定された向きを示す情報を視認する可能性は従来より高くなる。
【００５１】
加えて、第１の複数の表示手段１６は第１上下風向手段８に設定される角度によらず第１上下風向手段８に隠れない場所に位置する。そのため、第１上下風向手段８に設定される角度にかかわらず、ユーザは第１の複数の表示手段１６を視認することができる。すなわち、実施の形態に係る室内機２は、第１左右風向手段１２に設定された向きを示す情報を室内機２から比較的遠くに居るユーザに視認させることができる。
【００５２】
室内機２は、第１の複数の表示手段１６と同様の第２の複数の表示手段１７、第３の複数の表示手段１８及び第４の複数の表示手段１９を有する。そのため、室内機２は、第２左右風向手段１３、第３左右風向手段１４及び第４左右風向手段１５の各々に設定された向きを示す情報を室内機２から比較的遠くに居るユーザに視認させることができる。
【００５３】
上述した実施の形態では、室内機２には、４個の空気吹出口が設けられている。しかしながら、空気吹出口の個数は４個に限定されない。
【００５４】
上述した実施の形態では、室内機２は、４個の空気吹出口の各々に関連し、左右風向手段、上下風向手段及び複数の表示手段を有する。しかしながら、室内機２は、設けられているすべての空気吹出口について、左右風向手段、上下風向手段及び複数の表示手段を有しなくてもよい。例えば、室内機２は、第１空気吹出口４に関連する第１上下風向手段８、第１左右風向手段１２及び第１の複数の表示手段１６を有し、第２空気吹出口５、第３空気吹出口６及び第４空気吹出口７に関連する上下風向手段、左右風向手段及び複数の表示手段を有しなくてもよい。
【００５５】
上述した実施の形態では、第１の複数の表示手段１６は、第１１の表示手段１６ａ、第１２の表示手段１６ｂ及び第１３の表示手段１６ｃの３個の表示手段によって構成される。しかしながら、第１の複数の表示手段１６が第１左右風向手段１２に設定された向きを示す情報を表示することができれば、第１の複数の表示手段１６を構成する表示手段の個数は限定されない。同様に、第２の複数の表示手段１７、第３の複数の表示手段１８及び第４の複数の表示手段１９の各々を構成する表示手段の個数は限定されない。
【００５６】
上述した実施の形態では、室内機２は天井に据え付けられる装置である。しかしながら、室内機２は、天井から吊り下げられる装置であってもよいし、壁に掛けられる装置であってもよい。
【００５７】
図５は、実施の形態に係る室内機２が有する人体検知手段２０、室内機側通信手段２１及び制御手段２２の少なくとも一部の機能がプロセッサ５１によって実現される場合のプロセッサ５１を示す図である。つまり、人体検知手段２０、室内機側通信手段２１及び制御手段２２の少なくとも一部の機能は、メモリ５２に格納されるプログラムを実行するプロセッサ５１によって実現されてもよい。プロセッサ５１は、ＣＰＵ（Central  Processing  Unit）、処理装置、演算装置、マイクロプロセッサ、又はＤＳＰ（Digital  Signal  Processor）である。図５には、メモリ５２も示されている。
【００５８】
人体検知手段２０、室内機側通信手段２１及び制御手段２２の少なくとも一部の機能がプロセッサ５１によって実現される場合、当該少なくとも一部の機能は、プロセッサ５１と、ソフトウェア、ファームウェア、又は、ソフトウェア及びファームウェアとの組み合わせにより実現される。ソフトウェア又はファームウェアは、プログラムとして記述され、メモリ５２に格納される。プロセッサ５１は、メモリ５２に記憶されたプログラムを読み出して実行することにより、人体検知手段２０、室内機側通信手段２１及び制御手段２２の少なくとも一部の機能を実現する。
【００５９】
人体検知手段２０、室内機側通信手段２１及び制御手段２２の少なくとも一部の機能がプロセッサ５１によって実現される場合、室外機２は、人体検知手段２０、室内機側通信手段２１及び制御手段２２によって実行されるステップの少なくとも一部が結果的に実行されることになるプログラムを格納するためのメモリ５２を有する。メモリ５２に格納されるプログラムは、人体検知手段２０、室内機側通信手段２１及び制御手段２２が実行する手順又は方法の少なくとも一部をコンピュータに実行させるものであるともいえる。
【００６０】
メモリ５２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００６１】
図６は、実施の形態に係る室内機２が有する人体検知手段２０、室内機側通信手段２１及び制御手段２２の少なくとも一部が処理回路６１によって実現される場合の処理回路６１を示す図である。つまり、人体検知手段２０、室内機側通信手段２１及び制御手段２２の少なくとも一部は、処理回路６１によって実現されてもよい。
【００６２】
処理回路６１は、専用のハードウェアである。処理回路６１は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００６３】
人体検知手段２０、室内機側通信手段２１及び制御手段２２が有する複数の機能について、当該複数の機能の一部がソフトウェア又はファームウェアで実現され、当該複数の機能の残部が専用のハードウェアで実現されてもよい。このように、人体検知手段２０、室内機側通信手段２１及び制御手段２２が有する複数の機能は、ハードウェア、ソフトウェア、ファームウェア、又はこれらの組み合わせによって実現することができる。
【００６４】
実施の形態に係る遠隔操作機器３が有する操作機器側通信手段３１及び受付手段３２の少なくとも一部の機能は、プロセッサによって実現されてもよい。その場合、遠隔操作機器３は、操作機器側通信手段３１及び受付手段３２によって実行されるステップの少なくとも一部が結果的に実行されることになるプログラムを格納するためのメモリを有する。操作機器側通信手段３１及び受付手段３２の少なくとも一部は、処理回路によって実現されてもよい。当該処理回路は処理回路６１と同様の処理回路である。
【００６５】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００６６】
１  空気調和システム、２  室内機、３  遠隔操作機器、４  第１空気吹出口、５  第２空気吹出口、６  第３空気吹出口、７  第４空気吹出口、８  第１上下風向手段、９  第２上下風向手段、１０  第３上下風向手段、１１  第４上下風向手段、１２  第１左右風向手段、１２ａ  第１１左右風向手段、１２ｂ  第１２左右風向手段、１２ｃ  第１３左右風向手段、１２ｄ  第１４左右風向手段、１３  第２左右風向手段、１３ａ  第２１左右風向手段、１３ｂ  第２２左右風向手段、１３ｃ  第２３左右風向手段、１３ｄ  第２４左右風向手段、１４  第３左右風向手段、１４ａ  第３１左右風向手段、１４ｂ  第３２左右風向手段、１４ｃ  第３３左右風向手段、１４ｄ  第３４左右風向手段、１５  第４左右風向手段、１５ａ  第４１左右風向手段、１５ｂ  第４２左右風向手段、１５ｃ  第４３左右風向手段、１５ｄ  第４４左右風向手段、１６  第１の複数の表示手段、１６ａ  第１１の表示手段、１６ｂ  第１２の表示手段、１６ｃ  第１３の表示手段、１７  第２の複数の表示手段、１７ａ  第２１の表示手段、１７ｂ  第２２の表示手段、１７ｃ  第２３の表示手段、１８  第３の複数の表示手段、１８ａ  第３１の表示手段、１８ｂ  第３２の表示手段、１８ｃ  第３３の表示手段、１９  第４の複数の表示手段、１９ａ  第４１の表示手段、１９ｂ  第４２の表示手段、１９ｃ  第４３の表示手段、２０  人体検知手段、２１  室内機側通信手段、２２  制御手段、３１  操作機器側通信手段、３２  受付手段、５１  プロセッサ、５２  メモリ、６１  処理回路。
【図１】
2020194468.tif 000003
【図２】
2020194468.tif 000004
【図３】
2020194468.tif 000005
【図４】
2020194468.tif 000006
【図５】
2020194468.tif 000007
【図６】
2020194468.tif 000008
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
空気が吹き出る複数個の空気吹出口が設けられていて空気調和を行う空気調和システムの室内機であって、
前記空気調和システムの室内機は、天井に埋め込まれる装置であり、
前記複数個の空気吹出口の各々について、
空気吹出口に位置し、前記空気吹出口から吹き出される空気の上下方向における向きを決定するための角度が設定される上下風向手段と、
前記空気吹出口に位置し、前記空気吹出口から吹き出される空気の左右方向における向きを決定するための向きが設定される左右風向手段と、
前記空気吹出口の外部において前記空気吹出口の長手方向に沿うと共に、前記上下風向手段に設定される角度によらず前記上下風向手段に隠れない場所に間を置いて位置し、前記左右風向手段に設定された向きを示す情報を表示する複数の表示手段とを備え、
前記複数個の空気吹出口の各々から吹き出される空気の向きが、前記複数個の空気吹出口のうちの他の空気吹出口から吹き出される空気の向きにかかわらず設定されることを可能にする
空気調和システムの室内機。
【請求項２】
前記複数の表示手段は、前記複数個の空気吹出口のうち、前記左右風向手段に設定された向きが変更された空気吹出口について前記情報の表示を開始する
請求項１に記載の空気調和システムの室内機。
【請求項３】
前記複数の表示手段は、前記情報の表示を開始した時からあらかじめ決められた時間が経過した時に前記情報の表示を終了する
請求項１に記載の空気調和システムの室内機。
【請求項４】
請求項１に記載の空気調和システムの室内機と、
ユーザによって操作される遠隔操作機器とを備え、
前記遠隔操作機器は、
前記空気調和システムの室内機と通信を行う操作機器側通信手段と、
前記複数の表示手段に前記情報を表示させる指示を受け付ける機能を含む受付手段とを有し、
前記空気調和システムの室内機は、
前記遠隔操作機器と通信を行う室内機側通信手段を更に有し、
前記受付手段が前記指示を受け付けた場合、前記操作機器側通信手段は前記指示を前記空気調和システムの室内機に送信し、前記室内機側通信手段は前記指示を受信し、前記複数の表示手段は前記情報の表示を開始する
空気調和システム。
【請求項５】
請求項１に記載の空気調和システムの室内機と、
ユーザによって操作される遠隔操作機器とを備え、
前記遠隔操作機器は、
前記空気調和システムの室内機と通信を行う操作機器側通信手段と、
前記左右風向手段に設定された向きを変更させる第１の指示を受け付ける機能と、前記複数の表示手段に前記情報を表示させるか否かを示す第２の指示を受け付ける機能とを含む受付手段とを有し、
前記空気調和システムの室内機は、
前記遠隔操作機器と通信を行う室内機側通信手段を更に有し、
前記受付手段が前記第１の指示を受け付けた場合、前記操作機器側通信手段は前記第１の指示を前記空気調和システムの室内機に送信し、前記室内機側通信手段は前記第１の指示を受信し、前記左右風向手段は前記第１の指示をもとに設定された向きを変更し、
前記受付手段が前記第２の指示を受け付けた場合、前記操作機器側通信手段は前記第２の指示を前記空気調和システムの室内機に送信し、前記室内機側通信手段は前記第２の指示を受信し、前記複数の表示手段は、前記左右風向手段に設定された向きが変更されたとき、前記第２の指示にしたがって前記情報を表示する又は表示しない
空気調和システム。
【手続補正２】
【補正対象書類名】明細書
【補正対象項目名】０００６
【補正方法】変更
【補正の内容】
【０００６】
上述した課題を解決し、目的を達成するために、本発明に係る空気調和システムの室内機は、空気が吹き出る複数個の空気吹出口が設けられていて空気調和を行う室内機である。本発明に係る空気調和システムの室内機は、天井に埋め込まれる装置である。本発明に係る空気調和システムの室内機は、複数個の空気吹出口の各々について、空気吹出口に位置し、空気吹出口から吹き出される空気の上下方向における向きを決定するための角度が設定される上下風向手段と、空気吹出口に位置し、空気吹出口から吹き出される空気の左右方向における向きを決定するための向きが設定される左右風向手段と、空気吹出口の外部において空気吹出口の長手方向に沿うと共に、上下風向手段に設定される角度によらず上下風向手段に隠れない場所に間を置いて位置し、左右風向手段に設定された向きを示す情報を表示する複数の表示手段とを有する。本発明に係る空気調和システムの室内機は、複数個の空気吹出口の各々から吹き出される空気の向きが、複数個の空気吹出口のうちの他の空気吹出口から吹き出される空気の向きにかかわらず設定されることを可能にする。
【国際調査報告】
2020194468.tif 000009
2020194468.tif 000010
2020194468.tif 000011
2020194468.tif 000012